(57)【要約】      （修正有）【課題】ブレスレットの長さの細かいまたは非常に細かい調節を提供し、同時に関連する案内及び締結という２つの機能を最適化する解決策を提供する。【解決手段】ブレスレットの長さの調節用装置であって、前記ブレスレットの長さの調節用装置は、第１軸Ａ１周りに回転する能力を有して取りつけられる少なくとも１つの調節リンク要素２３を含み、前記調節リンク要素は接続ピン２６によりブレスレットの端部リンク要素に接続されることにより、前記端部リンク要素が前記ブレスレットの前記長さの短縮及び伸長構成にそれぞれ対応する２つの位置を占めることを可能とし、前記ブレスレット長さ調節装置は、前記少なくとも１つの調節リンク要素と前記端部リンク要素とを前記短縮構成に互いに弾性締結する弾性締結装置を含み、当該構成において、前記弾性締結装置は、前記第１軸と整列しない第３軸Ａ３周りに配置される、ブレスレットの長さの調節用装置。【選択図】図４
2018138160.tif 000002
【特許請求の範囲】
【請求項１】
ブレスレットの長さの調節用装置であって、前記ブレスレットの長さの調節用装置は、第１軸（Ａ１）周りに回転する能力を有して取りつけられる少なくとも１つの調節リンク要素（２３）を含み、前記調節リンク要素（２３）は接続ピン（２６）によりブレスレットの端部リンク要素（２５）に接続されることにより、前記端部リンク要素（２５）が前記ブレスレットの前記長さの短縮及び伸長構成にそれぞれ対応する２つの位置を占めることを可能とし、前記ブレスレット長さ調節装置は、前記少なくとも１つの調節リンク要素（２３）と前記端部リンク要素（２５）とを前記短縮構成で互いに弾性締結する弾性締結装置を含み、当該構成において、前記弾性締結装置は、前記第１軸（Ａ１）と整列せず、前記接続ピン（２６）とは別個の第３軸（Ａ３）周りに配置される、
ブレスレットの長さの調節用装置。
【請求項２】
前記第１軸（Ａ１）及び前記第３軸（Ａ３）は平行である、 
請求項１に記載のブレスレットの長さの調節用装置。
【請求項３】
前記第１及び第３軸（Ａ１；Ａ３）間の前記距離は、２ｍｍ以下及びまたは０．１ｍｍ以上である、
請求項１または２に記載のブレスレットの長さの調節用装置。
【請求項４】
前記ブレスレットの長さの調節用装置は、４ｍｍ以下の、または３ｍｍ以下の、長さ調節を実行可能である、
請求項１から３のいずれか一項に記載のブレスレットの長さの調節用装置。
【請求項５】
前記ブレスレットの長さの調節用装置は、少なくとも１つの調節リンク要素内に配置されるバー（１２）を含み、且つ前記調節リンク要素（２３）の旋回を案内する案内手段を含む、前記少なくとも１つの調節リンク要素（２３）を案内する装置を含む、
請求項１から４のいずれか一項に記載のブレスレットの長さの調節用装置。
【請求項６】
前記バー（１２）は、ピン（１４）と、前記ピン（１４）と前記少なくとも１つの調節リンク要素（２３）との間に収容されるばね（１５）とを含む、
請求項５に記載のブレスレットの長さの調節用装置。
【請求項７】
前記ピン（１４）または前記バー （１２）は、前記第１軸（Ａ１）周りで留め金カバー（２４）の孔（４）に取付けられる、とりわけ前記第１軸（Ａ１）周りで留め金カバー（２４）の孔（４）内で回転する能力を有して取りつけられるスタッド（１８）を含む、
請求項５または６に記載のブレスレットの長さの調節用装置。
【請求項８】
前記弾性締結装置は、ピン（３３）と、少なくとも１つのボール（３６）とを含む、バー（３２）を含み、前記ボール（３６）は前記ピン（３３）の空洞容積内に収容される予圧ばね（３５）の影響下で前記バー（３２）の前記軸に平行に移動可能であり、前記ボール（３６）は前記ピン（３３）から突出可能である、
請求項１から７のいずれか一項に記載のブレスレットの長さの調節用装置。
【請求項９】
前記少なくとも１つのボール（３６）は、端部リンク要素（２５）を調節リンク要素（２３）へ締結するために、前記短縮構成において切欠き（１６）と協働する、
請求項８に記載のブレスレットの長さの調節用装置。
【請求項１０】
前記切欠き（１６）は、調節リンク要素（２３）または端部リンク要素（２５）の側壁に配置される、
請求項９に記載のブレスレットの長さの調節用装置。
【請求項１１】
前記ブレスレットの長さの調節用装置は、前記短縮構成において、第１軸（Ａ１）の高さで調節リンク要素（２３）内に配置される案内装置と、前記第３軸（Ａ３）の高さで端部リンク要素（２５）内に配置される弾性締結装置とを含む、
請求項１から１０のいずれか一項に記載のブレスレットの長さの調節用装置。
【請求項１２】
前記第３軸（Ａ３）は、前記ブレスレットが前記短縮構成にあるときに、前記第１軸（Ａ１）に対して前記カバー（２４）の外側に向けて配置される、
請求項１から１１のいずれか一項に記載のブレスレットの長さの調節用装置。
【請求項１３】
前記ブレスレットの長さの調節用装置は、２つの側部調節リンク要素（２３、２３’）を含み、各側部調節リンク要素（２３、２３’）は、旋回案内装置と、前記２つの調節リンク要素（２３、２３’）の間に位置され前記短縮構成において各調節リンク要素（２３、２３’）に弾性的に締結する端部リンク要素（２５）とを含む、
請求項１から１２のいずれか一項に記載のブレスレットの長さの調節用装置。
【請求項１４】
前記ブレスレットの長さの調節用装置は、案内装置と弾性締結装置とを含み、前記案内及び弾性締結の２つの装置は、互いに独立してそれぞれの機能を果たすことが可能である、
請求項１から１３のいずれか一項に記載のブレスレットの長さの調節用装置。
【請求項１５】
前記ブレスレットの長さの調節用装置は、案内装置と弾性締結装置とを含み、前記案内及び弾性締結の２つの装置は、完全にまたは部分的に別個の部品で形成される、
請求項１から１４のいずれか一項に記載のブレスレットの長さの調節用装置。
【請求項１６】
請求項１から１５のいずれか一項に記載のブレスレット長さ調節装置を少なくとも１つ含む、ブレスレットの展開留め金。
【請求項１７】
請求項１から１５のいずれか一項に記載のブレスレット長さ調節装置または請求項１６に記載の展開留め金を少なくとも１つ含む、ブレスレット。
【請求項１８】
請求項１から１５のいずれか一項に記載のブレスレット長さ調節装置及びまたは請求項１７に記載のブレスレットを少なくとも１つ含む、腕時計。
【発明の詳細な説明】
【技術分野】
【０００１】
本発明は、特にブレスレットの２つの端部間に収められた展開留め金内への配置に適した、ブレスレットの長さの快適性調節用装置に関する。本発明はまた、このような長さ調節装置を包含する留め金及びブレスレットそのものと、当該装置を含む腕時計そのものに関する。
【背景技術】
【０００２】
ブレスレット、とりわけ腕時計において、案内及び締結機能を伴う調節機能を実行することを必要とするようないくつかの状況がある。
【０００３】
例えば留め金は、通常、従来の調節と呼ばれる、ブレスレットに対する、特にブレスレットの１つのバンドに対する、位置の第１調節が設けられる。従来の調節は、とりわけブレスレットの組立操作中に、ブレスレットの長さの第１調節を許可する。しかしながら、得られる最終的なブレスレットの長さは、最適ではないと判明することもある。
【０００４】
このため、既存の留め金には、ブレスレットの長さに施すべき小さな第２調節を可能にする解決策が設けられ、これは従来の第１調節を補完するための、快適性調節と呼ばれる。特許文献１には、旋回し、ブレスレットの２つの異なる長さを実現する２つの安定位置を占めることが可能な調節リンクに依拠する、解決策が開示される。短い位置は、ブレスレットの端部リンク要素の切欠きで保持され、切欠きは調節リンクをその短い位置で捕え、弾性的に不動化する。当該解決策は、短い位置での安定を保証するため、いくつかのリンクの連節とリンク要素の締結を必要とする。当該解決策において、調節リンクは、２つの平行な横方向ピンを含み、第１横方向ピンは留め金に対する調節リンクの旋回を案内するため、留め金への固定を行うためのものであり、第２横方向ピンはブレスレットの端部リンク要素への連節接続を行うためのものである。このため、当該解決策は最終的には、２つの平行の横方向ピン間の距離により定義される、すなわち当該距離の実質的に２倍の長さの快適性調節を可能にする。当該最小距離は、調節リンクの製造時の制約により課され、調節リンクのピンは力学的考察から決定される最小直径を有し、これら２つのピンを収容する孔も同様に力学的考察から決定される最小間隔を有する。最後に、当該快適性調節装置は実際の使用において、５ｍｍ程度の最小長さ調節を用いることがわかった。当該快適性調節において、上述の製造時の制約を理由として、従来技術の解決策では不可能である細かい調節、または非常に細かい調節を行うため、より短い長さ調節を得ることが有利である可能性がある。当該調節は、手首直径の変動の可能性によりよく対処することを可能にする。
【先行技術文献】
【特許文献】
【０００５】
【特許文献１】欧州特許出願公開第０８１９３９１号明細書
【発明の概要】
【発明が解決しようとする課題】
【０００６】
本発明の全体的な目的は、ブレスレットの長さの細かいまたは非常に細かい調節を提供し、同時に関連する案内及び締結という２つの機能を最適化する解決策を提供することである。
【０００７】
具体的には、本発明の第１目的は、ブレスレットの長さの非常に細かい調節機能を実行することを可能にする、ブレスレットの案内及び締結解決策を提供することである。
【０００８】
本発明の第２目的は、動作に信頼性があり操作が便利な、ブレスレットの長さを調節する解決策を提供することである。
【０００９】
本発明の第３目的は、ブレスレットの審美的完全性を保証する、ブレスレットの長さを調節する解決策を提供することである。
【課題を解決するための手段】
【００１０】
このため、本発明は、ブレスレットの長さの調節用装置であって、前記ブレスレットの長さの調節用装置は、第１軸周りに回転する能力を有して取りつけられる少なくとも１つの調節リンク要素を含み、前記調節リンク要素は接続ピンによりブレスレットの端部リンク要素に接続されることにより、前記端部リンク要素は前記ブレスレットの前記長さの短縮及び伸長構成にそれぞれ対応する２つの位置を占めることが可能であり、前記ブレスレット長さ調節装置は、前記少なくとも１つの調節リンク要素と前記端部リンク要素とを前記短縮構成で互いに弾性締結する弾性締結装置を含み、当該構成において、前記弾性締結装置は、前記第１軸と整列しない第３軸周りに配置される、ブレスレットの長さの調節用装置に依拠する。
【００１１】
本発明は具体的には請求項により定義される。
【００１２】
本発明のこれらの目的、特徴と利点は、添付の図面を参照して与えられる、限定を目的としない特定の実施態様の説明において、詳細に説明される。
【図面の簡単な説明】
【００１３】
【図１】図１は、本発明の一実施形態にかかるブレスレット長さ調節装置を組み込んだ留め金の斜視図である。
【図２】図２は、延伸構成にある本発明の実施形態にかかるブレスレットの長さの調節用装置の領域における、留め金の斜視図である。
【図３】図３は、調節のための作動構成にある本発明の実施形態にかかるブレスレットの長さの調節用装置の領域における、留め金の斜視図である。
【図４】図４は、短縮構成にある本発明の実施形態にかかるブレスレットの長さの調節用装置の領域における、留め金の縦断面図である。
【図５】図５は、延伸構成にある本発明の実施形態にかかるブレスレットの長さの調節用装置の領域の、留め金の縦断面図である。
【発明を実施するための形態】
【００１４】
単純化のため、「縦方向」の文言はブレスレットバンドまたは留め金の長さに沿った方向を意味し、「横方向または横の方向」の文言はブレスレットバンド（の幅に沿った）平面または留め金の平面内での鉛直方向を意味するものとして用いる。垂直方向とは、最初の２つの方向に鉛直で、ブレスレットの平面に鉛直に向かう方向である。さらに、「リンク要素」の文言は、ブレスレットの基本構成要素として用いられ、「リンク」の文言はリンク要素の集合として用いられる。「ブレスレット」は、留め金の有無にかかわらずブレスレット全体として、またはブレスレットのバンドの一方または他方を意味するものとして用いられる。さらに、類似または同一の要素に付された参照番号または付された参照番号と同一機能を提供する要素に付与された参照番号には、’符号が付けられる。
【００１５】
本発明の実施形態は、図１に示すように、ブレスレットの長さの調節用装置、とりわけ留め金内でのブレスレットの長さの調節用装置に依拠する。当該ブレスレット長さ調節装置は、案内及び締結機能の実施を必要とし、少なくとも１つの案内装置と１つの締結装置を含む。
【００１６】
当該実施形態において、ブレスレットの１つのバンドの端部１ｂは、ブレスレットの長さの快適性調節を目的とする、ブレスレットの長さの調節用装置に接続される。このため装置は、前述の通り、従来の初期の調節に加えて、ブレスレットの長さの細かい変更を可能にするよう構成される。
【００１７】
本実施形態は、ピン３周りに互いに連節される、２つのリーフ２ａ、２ｂを含む展開留め金２に組み込まれる。これらリーフの１つ、リーフ２ａは、ブレスレット１の第１端部１ａに連節され、当該ブレスレットの他の端部１ｂは２つの平行な側壁２ｃ１、２ｃ２が設けられる留め金のカバー２４に連節され、当該カバー２４は、留め金が閉鎖位置にあるときにその下でリーフ２ａ、２ｂが折り畳まれるキャップを形成する。当該カバー２４の２つの平行な側壁２ｃ１、２ｃ２は、対で互いに対向し、以下に説明する調節リンク要素のピボットピンを受け入れるための孔４を含む。カバー２４の２つの平行な側壁２ｃ１、２ｃ２はまた、上述の従来の初期調節を可能とするよう、対で互いに対向する、２連の孔４を含んでもよい。
【００１８】
本発明の当該実施形態にかかるブレスレットの長さの調節用装置は、このためブレスレットの第２端部１ｂに、少なくとも部分的に留め金のカバー２４内に、配置される。装置は第１には、留め金のカバー２４の下に配置される調節リンク要素２３、２３’用の旋回ピンを含む。これら調節リンク要素２３、２３’は、ブレスレット１の端部１ｂに存在する接続ピン２６により接続され、接続ピン２６周りに端部リンク要素２５が回転可能に取り付けられる。
【００１９】
図２は、延伸構成におけるブレスレットの端部１ｂの配置を図示する。調節リンク要素２３、２３’は、接続ピン２６が第１軸Ａ１に対して、留め金のカバー２４の外側に向けて位置され、第１軸Ａ周りに調節リンク要素２３、２３’が連節される。端部リンク要素２５は、接続ピン２６と他のピン２７の間で、第２端部に向かって延長する。端部リンク要素は接続ピン２６によりその第１端で２つの側部調節リンク要素２３、２３’に接続され、第２端部には、ブレスレット、とりわけブレスレットバンドの残りが接続される。
【００２０】
図３は、とりわけ従前の延伸構成から短縮構成へ通過するために作動中の、同じ配置を図示する。そのため、調節リンク要素２３、２３’は、第１軸Ａ１周りに回転するよう作動される。この回転は、接続ピン２６を第１軸Ａ１周りに留め金のカバーの内部に向けて旋回させ、端部リンク要素２５をカバーの内部に向けて駆動させ、同時にブレスレット１の長さを減少させる。 この調節リンク要素２３、２３’の回転は、短縮構成が達成されるまで、およそ半回転継続する。
【００２１】
当該実施形態にかかる本発明のブレスレット長さ調節装置は、調節リンク要素２３、２３’を連節する第１機能と、以下に説明するように、端部リンク要素２５と調節リンク要素２３、２３’とを締結するために、上述の短縮構成を安定状態に維持可能にする、弾性締結の第２機能との実施を必要とする。
【００２２】
図４及び図５は、ブレスレット長さ調節装置の第１軸Ａ１の領域の、縦方向の横断面図において、ブレスレット長さ調節装置の配置を図示する。
【００２３】
ブレスレット長さ調節装置は、第１に、各リンク要素用の案内装置を形成するため、とりわけ各リンク要素の回転を案内するための装置を形成するため、各調節リンク要素２３、２３’内に配置される実質的に円筒形のバー１２、１２’を含む。 各バー１２、１２’は、ここでは同一であり、留め金の両側で、側方に位置された各調節リンク要素２３、２３’内に、とりわけ各調節リンク要素２３、２３’の孔２３０、２３０’内に、対称的に配置される。
【００２４】
バー１２は、第１軸Ａ１沿いに、横方向に延長する。バー１２は、留め金のカバー２４の側壁２ｃ１の孔４内に位置するスタッド１８を形成する第１端を含む空洞ピン１４を有する。ピン１４は、第２端に向かう部分を有し、その部分の周囲表面１３は調節リンク要素２３の旋回を案内するための案内表面を形成する。このように、調節リンク要素２３は留め金２４に対して第１軸Ａ１周りに回転可能であり、当該回転はバー１２により、特にピン１４の周囲表面１３により、案内される。圧縮構成にある留めばね１５、とりわけ巻留めばね１５は、ピン１４の孔内に収容され、当該孔は、ピン１４の第２端の領域に形成される。留めばねは、横方向に延長し、ピンと協働する第１端と、調節リンク要素２３と協働する第２端とを含む。巻留めばね１５は、カバー２４に対するリンク要素２３の分離可能な案内連結を達成することを可能にする。具体的には、巻留めばね１５は、伸縮ピン１４の使用を可能とし、そのスタッド１８は、例えばブレスレットの再形成作業中にリンク要素２３の開口２３００を介してピン１４に作用可能な専用ツールを用いて、カバー２４の孔４から引込めることができる。更に、当該巻留めばね１５は、留め金２４に対して調節リンク要素２３を保持する機能を果たし、例えば製造時の間隙の結果存在する可能性のある振動などの動きを制限する。
【００２５】
更に、ブレスレット長さ調節装置は、弾性締結装置を形成するため、端部リンク要素２５内に配置されるバー３２を含む。ここでバー３２は、その目的のため設けられた孔内で、端部リンク要素２５の全幅にわたり横方向に延長する。例えばバー３２は、端部リンク要素２５の孔内に打ち込まれてもよい。バー３２は、予圧構成の巻ばね３５を組み入れた空洞ピン３３を含む。巻ばね３５は、ピン３３の２つの端部に位置し、ピン３３の空洞容積内に部分的に位置する２つのボール３６、３６’、と、ボールが移動可能であり、端部リンク要素２５の各横方向端部においてピン３３から部分的に突出可能なように、協働する。考察：ボール３６、３６’は、ばねと切欠きとの間に適切なインターフェースを構成するのに適した形状の、ブロックやその他の部品と交換することができる。ボール３６、３６’の位置は、ピンの端部のそれぞれの領域において、ピン３３により形成されるストップにより定められる。このため、ボール３６、３６’は、ピン３３の空洞容積内のハウジングから離れることなく、ピン３３から突出するよう位置されることができる。
【００２６】
図４は、短縮構成の留め金を図示する。当該構成において、端部リンク要素２５の２つのボール３６、３６’は、調節リンク要素２３、２３’の各側壁に形成された切欠き１６、１６’のそれぞれに収容される。切欠き１６、１６’は、例えば、調節リンク要素２３、２３’の側壁に対して傾斜する１以上のフランクにより定められる切抜きの形態をとってもよい。ボール３６、３６’は、巻ばね３５の力に対抗して、切欠き１６、１６’によってバー３２の内側に向かってわずかに押し戻され、これにより保持力を適用し、端部リンク要素２５と調節リンク要素２３、２３’とを安定して締結し続ける。考察：バー１２、１２’の巻留めばね１５、１５’は、調節リンク要素２３、２３’に対して、切欠き１６、１６’をボール３６、３６’へ押し戻す傾向がある圧力を加え、これにより追加の弾性締結効果を引き起こす。しかしながら、巻留めばね１５、１５’は任意であり、弾性締結機能はそれらがなくとも十分達成される。
【００２７】
図４に図示する短縮構成から図５に図示する伸長構成へブレスレットを変更させるためのブレスレット長さ調節装置の作動は、締結位置にあるリンク要素２３、２５の連結の力を乗り越えるためにユーザーが付与する所定の大きさの力により、締結リンク要素２５を解放する初期段階を含む。当該力は、圧縮された巻ばね３５の力に対抗してボール３６、３６’を端部リンク要素２５の孔内で移動させる。次に、当該解放が達成されると、ユーザーは、調節リンク要素２３と端部リンク要素２５の間の接続ピン２６が第１軸Ａ１周りに約半回転を達成するまで、調節リンク要素２３を第１軸Ａ１周りに旋回させる。
【００２８】
図４、５の２つの図は、ブレスレットの長さが、上述の短縮と延伸の２つの構成間で、接続ピン２６の中心と第１軸Ａ１との距離のおおよそ２倍に対応する量で、調節可能なことを示す。
【００２９】
当該解決策において、短縮位置において、接続ピン２６は、第１軸Ａ１に平行な第２横軸Ａ２に沿って延長することが知られている。加えて、調節リンク要素２３、２３’のそれぞれの側壁の切欠き１６、１６’は、その中心を通過する第３横軸Ａ３周りに配置される。第３横軸Ａ３は、調節リンク要素２３の旋回がその周りに配置される第１軸Ａ１からわずかにオフセットする。このため、第３軸Ａ３は第１軸Ａ１とは別個であり、第１軸Ａ１と整列しない。本実施形態によれば、２つの軸Ａ１、Ａ３のオフセットは、０．５ｍｍ程度、または更には０．１ｍｍ以上２ｍｍ以下である。
【００３０】
加えて、図４に示す短縮構成において、端部リンク要素２５内に配置される締結装置は、切欠き１６、１６’と協働し、第３軸Ａ３に沿って横方向に延長する。短縮構成において、第３軸Ａ３は、調節リンク要素２３と端部リンク要素２５の間で接続ピン２６がその周りに配置される第２軸Ａ２とは異なり、第１軸Ａ１に対して留め金２４の外側に配置されることが挙げられる。従来技術同様、一方では接続ピン２６と他方では締結装置、とりわけバー３２との平行配置を組み入れるため、製造時の制約が軸Ａ３とＡ２の間の最低距離を決定する。第３軸Ａ３が第１軸Ａ１と整列しておらず、ブレスレットの短縮構成においてカバー２４の外側に向かうオフセットを示すため、２つの軸Ａ１、Ａ３が整列する解決策に比べて第２軸Ａ２は第１軸Ａ１に近い。本実施形態は３つの別個の軸Ａ１、Ａ２、Ａ３に依拠することを強調しなければならない。３つの軸Ａ１、Ａ２、Ａ３は、本実施形態によれば平行である。最後に、軸Ａ３は、２つの短縮及び延伸構成の間で、軸Ａ１周りに回転可能である。軸Ａ３は、２つの構成において、常に第１軸Ａ１とは別個である。軸Ａ３は同様に、接続ピン２６とも別個である。具体的には、短縮構成において、第２軸Ａ２とは別個であり、このため接続ピン２６とも別個である。
【００３１】
このため、軸Ａ１、Ａ３のオフセンターまたはオフセットにより、ブレスレットの端部リンク要素２５の接続ピン２６を、従来技術の解決策に比べて調節リンク要素２３の回転軸に近づけることができ、これにより当該解決策により提供される長さ調節の規模を減少させることができる。このため、４ｍｍ以下の、また更には３ｍｍ以下の長さ調節を達成可能である。
【００３２】
上記の記載から明らかなように、ブレスレット長さ調節装置はとりわけ案内用と締結用の２つのそれぞれ別個の装置を結合するものである。案内装置はバー１２を、具体的にはピン１４の周囲表面１３の少なくとも一部と、場合によりピン１４の第１端部とを含む。締結装置は、とりわけピン３３、巻ばね３５、及びボール３６、３６’を含むバー３２を含む。２つの案内及び締結機能は、このように、互いに独立して行われる。
【００３３】
上記から明らかなように、案内及び締結機能の独立性は、２つの機能を果たす部品の物理的な分離により得られる。特に、このような部品は別個であり、すなわち各機能を果たすために異なった最適な素材を選ぶことができることを意味しており、各機能は他の機能を達成するために用いられる部品の影響を被ることなく、発揮することが可能である。
【００３４】
このため、弾性締結機能は、案内装置とは独立して、少なくとも１つのばね部品の弾性変形に依拠する。つまり、当該変形は案内機能に寄与する部品になんら影響を与えない。これにより、弾性締結機能を、案内装置のあらゆる潜在的な変化とは独立して、確実に且つ繰り返し長期間果たすことを可能にする。
【００３５】
補完のため、弾性締結機能もまた、調節リンク要素と端部リンク要素に用いられる素材から独立している。保持力は、ばね３５の弾性変形のみにより定義され、切欠きまたは複数の切欠きの塑性変形の危険性も、案内装置のバー１２を屈曲させる危険性もない。このため、締結機能により発せられる保持力は、どのようなブレスレットに用いられたとしても、長い時間にわたり一定である。例として、案内及び締結システムと協働するブレスレットのリンク要素、とりわけ調節リンク要素及び端部リンク要素は、鋼種９０４Ｌまたは金、または代替的にプラチナ製であってよい。
【００３６】
例として、バー１２は、鋼種９０４Ｌタイプの素材、または金であってもよい。ばね１５、３５は、Ｎｉｖａｆｌｅｘ（登録商標）タイプのばね素材、または代替的にニチノールのようにニッケル及びチタンの超弾性合金であってもよい。
【００３７】
加えてブレスレット長さ調節装置の２つの案内及び締結装置は、最低限のかさばりであって、留め金のまたはブレスレットの審美眼的外観を損なわない小型装置を形成するよう、互いに結合される。この小さなかさばりは、とりわけ締結位置のわずかなオフセットに由来し、この（軸Ａ１、Ａ３間の）オフセンターは、２ｍｍ以下である。両装置は、簡単にブレスレットに組み付けられ組み込まれることができる。
【００３８】
最後に、本発明は、ブレスレット長さ調節量を最適化、とりわけ最小限にすることにより、改善された性能と改善された審美的結果を定義できるよう、コンパクトな組立体を得るために、例えば案内装置と組み合わせるなど、弾性締結装置の最適の配置に依拠する。 
【００３９】
もちろん、上記の配置は例示的実施形態として説明されており、他の構造も本発明の範囲から外れることなく考慮することができる。とりわけ案内及びまたは締結装置は、他の形状を示してもよい。例えば、案内及びまたは締結装置は、軸対称を示さなくてもよい。両装置は、同一の第１要素、例えば１つの第１案内リンク要素内に位置される配置に組み合わされてもよい。例えば締結装置のバー３２は、ブレスレットの端部リンク要素のフランク内に配置される単一の切欠きと弾性的に協働するボールを含む、調節リンク要素内に配置されてもよい。更に、１つまたは２つの案内及び締結装置が２つの調節リンク要素と用いられてきたが、代替策として、異なる数の案内及びまたは締結装置を使用することも可能であり、異なる数の調節リンク要素を使用することも可能である。
【００４０】
加えて本実施形態は、カバー２４に縦に配置され、全て調節リンク要素の第１回転軸Ａ１を収容可能ないくつかの孔４による、追加の調節を提案する。このため、調節リンク要素の固定孔の選択が、上述の快適性調節を補完する、第１長さ調節を形成する。調節リンク要素の縦調節を簡単にするため、様々な孔やその他提供されるハウジングにおいて、垂直壁は１以上の案内路を含んでもよく、調節リンク要素のスタッドは、調節リンク要素の縦方向の滑りを促進するために、これら案内路に配置された１以上のシューと協働してもよい。このような場合、リンク要素内に配置された案内装置は、上述のようにリンク要素の旋回を案内する機能と、留め金に対するリンク要素の縦方向案内の第２機能を発揮してもよい。
【００４１】
全ての実施形態において、弾性締結装置の意味は、弾性的に可逆の態様で、１以上の他の部品を締結するために変形する、少なくとも１つのばね要素を含む装置である。弾性締結はブレスレットリンク要素に対して行われることができ、当該リンク要素は締結について受動的に（変形することなく）寄与する。この弾性締結は、ブレスレットまたは留め金の固定部分に対して行うこともできる。
【００４２】
更に、案内装置の意味は、１つの部品を異なる部品に対して案内するための、少なくとも１つの手段、とりわけ表面が設けられた装置である。案内は、回転及びまたは溝に沿った移動でもよい。案内は、ブレスレットリンク要素、特に調節リンク要素及びまたは留め金を用いて達成することもできる。
【００４３】
有利には、案内及び締結配置は、上述のように、留め金内でブレスレットの長さを調節する装置と関連する。有利には、調節リンク要素及び場合により端部リンク要素の少なくとも一部は、留め金が形成するカバーの下に位置し、このため当該機構は隠されたままである。留め金は、２つまたは３つの展開リーフを有する、様々なタイプでよい。代替策として、案内及び締結配置は、単に留め金の１つのリーフと関連し、当該リーフを連節して締結するために用いてもよい。案内及び締結配置は、このように、形状の変化が求められるブレスレットに関連するあらゆるシステムに実施することができる。更なる代替策として、案内及び締結配置は、留め金に対する位置がどうであれ、ブレスレットリンク要素またはリンクと関連してもよい。
【００４４】
本発明はまた、少なくとも１つの上述の長さ調節装置を包含する、ブレスレット及びまたは留め金及びまたは腕時計に関する。 
【符号の説明】
【００４５】
１２    バー
１４    ピン
１５    ばね
２３    調節リンク要素
２５    端部リンク要素
２６    接続ピン
３６    ボール
Ａ１    第１軸
Ａ２    第２軸
Ａ３    第３軸
【図１】
2018138160.tif 000003
【図２】
2018138160.tif 000004
【図３】
2018138160.tif 000005
【図４】
2018138160.tif 000006
【図５】
2018138160.tif 000007
【外国語明細書】
2018138160000001.pdf
2018138160000002.pdf
2018138160000003.pdf
2018138160000004.pdf